(57)【要約】【課題】相手側コネクタとの嵌合状態をロックできると共に、コンタクトをハウジングの所定位置に挿入できるコネクタを提供する。【解決手段】コネクタは、２本のコンタクト２と、両コンタクトを保持するハウジング１と、相手側コネクタとの嵌合状態をロックする弾性ロック部材１ｆと、両コンタクトを２重に係止するリテーナ（係止部材）５とを備える。リテーナは、両コンタクトのハウジングからの離脱を防止し、コンタクトがハウジングの所定位置に挿入されていないときに、コンタクトを押圧して所定位置に挿入するコンタクト押圧部５ａを有する。また、リテーナは、ハウジングの両凹所１ｃに係止する一対の第１係止部５ｂと、弾性ロック部材１ｆの操作部１ｆ２を保護する保護部５ｃを有する。更に、リテーナは、保護部の両側の近傍に設けられ、ハウジングの一対の突出部１ｅに係止する一対の第２係止部５ｄを有する。【選択図】  図１
2008147074.tif 000002
【特許請求の範囲】
【請求項１】
コンタクトと、前記コンタクトを保持するハウジングと、相手側コネクタとの嵌合状態をロックする弾性ロック部材と、前記コンタクトを係止する係止部材とを備えるコネクタにおいて、
前記弾性ロック部材は、前記相手側コネクタとのロックを解除する操作部を有し、
前記係止部材は、前記コンタクトの前記ハウジングからの離脱を防止し、前記コンタクトが前記ハウジングの所定位置に挿入されていないときに、前記コンタクトを押圧して前記所定位置に挿入するコンタクト押圧部と、前記ハウジングの一側面に設けられている第１被係止部と係止する第１係止部と、前記操作部を保護する保護部と、前記ハウジングの前記一側面と直交する側面に設けられている第２被係止部と係止する第２係止部とを有することを特徴とするコネクタ。
【請求項２】
前記第２係止部は一対設けられ、前記一対の第２係止部のそれぞれは前記保護部の両側の近傍に設けられることを特徴とする請求項１記載のコネクタ。
【発明の詳細な説明】
【技術分野】
【０００１】
本発明は、相手側コネクタとの嵌合状態をロックする弾性ロック部材と、コンタクトを係止するリテーナ等の係止部材とを備えるコネクタに関する。
【背景技術】
【０００２】
第１の従来の技術として、半嵌合（不完全嵌合）防止コネクタについて本出願前に頒布された刊行物を引用して説明する（例えば、特許文献１参照。）。
【０００３】
図６に示されるように、半嵌合防止コネクタ２１は、雄コネクタ３１と雌コネクタ４１とから構成される。雄コネクタ３１のハウジング３２の上部に、一対の弾性アーム３３，３４が設けられている。各弾性アーム３３，３４の先端には、係止部３３ａ，３４ａが設けられている。両弾性アーム３３，３４の上面には、両弾性アーム３３，３４にまたがるように操作部３５が設けられている。なお、ハウジング３２の後端には、開口部３２ａ，３２ｂが形成され、雄コネクタ３１の組み付け時に開口３２ａ，３２ｂから端子収容室（図示せず）内に電線を接続された雌型端子が差し込まれる。
【０００４】
また、雌コネクタ４１のハウジング４２の上部に、一対の係止部材４３，４４が設けられている。各係止部材４３，４４の内側面には、各弾性アーム３３，３４を案内する案内面４３ａ，４４ａが設けられ、各係止部材４３，４４の後端には、係止段部４３ｂ，４４ｂが設けられている。更に、平板部４５ａ及び傾斜面４５ｂを有する傾斜突起４５が、ハウジング４２上に設けられている。更に、ハウジング４２の前端には、雄コネクタ３１のハウジング３２が嵌合することができる嵌合孔４２ａが設けられている。
【０００５】
そして、雄コネクタ３１が雌コネクタ４１と矢印方向Ａに嵌合するとき、一対の弾性アーム３３，３４が案内面４３ａ，４４ａと傾斜面４５ｂ上を摺動しながら内側方向と共に上方に撓み変形することによって、不完全嵌合を防止することができる。
【０００６】
作業者が不完全嵌合状態を完全嵌合状態と誤認して嵌合動作を途中で中止すると、各弾性アーム３３，３４の係止部３３ａ，３４ａは案内面４３ａ，４４ａと傾斜面４５ｂから反発力を受ける。したがって、雌雄両コネクタ４１は離反されるので、不完全嵌合は防止される。
【０００７】
なお、雌雄両コネクタ３１，４１の嵌合を解除する場合は、操作部３５を手指等によって押し、一対の弾性アーム３３，３４を下方に降下させ、係止部３３ａ，３４ａを係止部材４３，４４から外す。この後、雄コネクタ３１を雌コネクタ４１から抜出する。
【０００８】
第２の従来の技術として、雌雄両コネクタを嵌合状態にロックする機構を有するコネクタについて説明する。
【０００９】
雄コネクタのハウジングには、弾性ロック部材が設けられ、弾性ロック部材の先端には、係止部が形成されている。雌コネクタのハウジングには、係止部が形成されている。嵌合状態では、雄コネクタの弾性ロック部材の係止部が雌コネクタの係止部と係止することによって、雌雄両コネクタはロックされる。ロックを解除する場合は、弾性ロック部材の後端に形成されている操作部を押圧すると、弾性ロック部材の係止部が雌コネクタの係止部との係止から解除される。したがって、雌雄両コネクタは、嵌合を解除することができる。
【００１０】
この種のコネクタは、本出願前に頒布された多くの刊行物に記載されている（例えば、特許文献２参照。）。
【００１１】
【特許文献１】特開２００１−３５１７３７号公報
【特許文献２】特開２００５−１５００１５号公報
【発明の開示】
【発明が解決しようとする課題】
【００１２】
前記第１の従来の技術は、雄コネクタのハウジングと雌コネクタのハウジングとが所定の位置で嵌合することによって不完全嵌合を防止するコネクタである。
【００１３】
前記第２の従来の技術は、嵌合状態では、雄コネクタの弾性ロック部材の係止部が雌コネクタの係止部と係止することによって、雌雄両コネクタがロックされるコネクタである。
【００１４】
したがって、前記両従来の技術は、コネクタのコンタクトをハウジングの所定位置に挿入することについて開示していない。
【００１５】
そこで、本発明は、コンタクトをハウジングの所定位置に挿入できるコネクタを提供しようとするものである。
【００１６】
また、２次係止部材のハウジングへの保持強度の向上を図ることができるコネクタを提供する。
【課題を解決するための手段】
【００１７】
本発明は、前記課題を解決するため、次の手段を採用する。
【００１８】
１．コンタクト２と、前記コンタクトを保持するハウジング１と、相手側コネクタとの嵌合状態をロックする弾性ロック部材１ｆと、前記コンタクトを係止する係止部材５とを備えるコネクタにおいて、前記弾性ロック部材は、前記相手側コネクタとのロックを解除する操作部１ｆ２を有し、前記係止部材は、前記コンタクトの前記ハウジングからの離脱を防止し、前記コンタクトが前記ハウジングの所定位置に挿入されていないときに、前記コンタクトを押圧して前記所定位置に挿入するコンタクト押圧部５ａと、前記ハウジングの一側面に設けられている第１被係止部１ｃ１と係止する第１係止部５ｂと、前記操作部を保護する保護部５ｃと、前記ハウジングの前記一側面と直交する側面に設けられている第２被係止部１ｅと係止する第２係止部５ｄ，５ｄ´とを有するコネクタ。
【００１９】
２．前記第２係止部は一対設けられ、前記一対の第２係止部のそれぞれは前記保護部の両側の近傍に設けられることを特徴とする請求項１記載のコネクタ。
【発明の効果】
【００２０】
明細書の説明から明らかなように、本発明は、次の効果を奏する。
【００２１】
１．係止部材は、コンタクトがハウジングの所定位置に挿入されていないときに、コンタクトを押圧して所定位置に挿入するコンタクト押圧部を有するので、コネクタのコンタクトと相手側コネクタのコンタクトとは、確実に接続する。
【００２２】
２．係止部材は、ハウジングの側面側に係止する第１係止部と、ハウジングの側面側と直交する側に設けられている被係止部に係止する第２係止部とを有するので、ハウジングに強固に固定される。
【００２３】
３．弾性ロック部材の操作部は、係止部材の保護部によって保護されるので、無用の外力によって操作部が操作されることが防止される。したがって、コネクタと相手コネクタとは、不必要にロックを解除されない。
【発明を実施するための最良の形態】
【００２４】
本発明の２つの実施例のコネクタについて説明する。
【実施例１】
【００２５】
本発明の実施例１について図１〜図４を参照して説明する。
【００２６】
図１に示されるように、コネクタのハウジング１には、２本のコンタクト２が保持されている。各コンタクト２の端子部は、ターミナルシール３によって被覆されている。また、各コンタクト２には、ケーブル４が接続されている。更に、各コンタクト２は、ハウジング１から無用に抜出されないようにハウジングランス１ｇ（１次係止部材）とリテーナ（係止部材）５とによってハウジング１に２重に係止される。
【００２７】
ハウジング１には、中央部に各コンタクト２が保持される２つの保持孔１ａ（図２参照）が設けられ、また、前端部に相手側コネクタの２本のコンタクトが挿入される２つの挿入孔１ｂが設けられている。更に、ハウジング１の後端部の左右両側にリテーナ５を係止するための凹所１ｃが設けられ、各凹所１ｃに突起１ｃ１が設けられている。更に、ハウジング１の後端部には、上側中央に凹所１ｄが設けられ、また、上側左右両部に突出部１ｅが設けられている。更に、ハウジング１の上側の前端部に、相手側コネクタをロックから解除するための弾性ロック部材１ｆが弾性変形することができるように取り付けられている。弾性ロック部材１ｆには、一対のロック突起１ｆ１と操作部１ｆ２が設けられている。
【００２８】
リテーナ５は、略コ字形状の構造と略Ｔ字形状の構造とが結合することによって構成され、弾性変形することができる。略コ字形状の構造における左右両側には、ハウジング１の各凹所１ｃに係止することができる第１係止部５ｂが設けられ、各第１係止部５ｂの中央には、溝５ｂ１が形成されている。略Ｔ字形状の構造における上側には、操作部１ｆ２を保護するための保護部５ｃが設けられ、保護部５ｃの両側には、各突出部１ｅに係止するための第２係止部５ｄが設けられている。保護部５ｃと両第１係止部５ｂの中間部５ｅとは、連結部５ｆによって連結される。中間部５ｅには、図３にも示されるように、両コンタクト２を所定位置に挿入するための一対のコンタクト押圧部５ａが設けられている。
【００２９】
コネクタの組立は、次のように行われる。まず、図１において、ターミナルシール３によって被覆され、ケーブル４を接続された２本のコンタクト２を、図２に示されるように、ハウジング１の２つの保持孔１ａに挿入すると、ハウジングランス１ｇによりコンタクト２が係止され、１次係止となる。次に、リテーナ５を図２の矢印方向にハウジング１に取り付けると、図３と図４に示される状態に至る。この状態では、コンタクト２は、ハウジングランス１ｇとリテーナ５とにより２重にハウジング１に係止される。
【００３０】
この状態では、リテーナ５の両第１係止部５ｂはハウジング１の両凹所１ｃにそれぞれ係止され、また、両溝５ｂ１は両突起１ｃ１にそれぞれ係止され、更に、両第２係止部５ｄは両突出部１ｅにそれぞれ係止される。両コンタクト押圧部５ａは、それぞれ両コンタクト２の端子部を図３における左方向に押すことによって両コンタクト２を所定位置まで挿入する。本実施例では、第１係止部５ｂは一対設けられているが、一方のみの１つでも良い。
【００３１】
図３と図４に示されるコネクタが組み立てられた状態において、相手側コネクタ（図示せず）がコネクタに嵌合すると、弾性ロック部材１ｆは、下方に弾性変形した後、復元する。この結果、相手側コネクタのハウジングは両ロック突起１ｆ１にロックされ、相手側コネクタの両コンタクトはそれぞれコネクタの両挿入孔１ｂから挿入されて両コンタクト２と接続する。
【００３２】
ハウジング１に係止される第２係止部５ｄが保護部５ｃの両側に設けられているので、保護部５ｃの強度が強く、操作部１ｆ２の保護が確実にできる。
【００３３】
相手側コネクタをコネクタから離脱する場合には、弾性ロック部材１ｆの操作部１ｆ２を図３と図４における下方に手指によって押すと、両ロック突起１ｆ１は相手側コネクタのハウジングをロックから解除する。この状態で、相手側コネクタをコネクタから抜去する。
【実施例２】
【００３４】
図５は、実施例１の第２係止部５ｄが設けられている位置を変更した場合の第２係止部５ｄ´を示す実施例２である。この場合には、ハウジング１の突出部１ｅもコンタクト２が挿入される側にずらして第２係止部５ｄ´と係止するようにする。また、実施例１，２の第２係止部５ｄ，５ｄ´はそれぞれ一対設けられているが、一方のみの１つでも良い。
【図面の簡単な説明】
【００３５】
【図１】本発明の実施例１のコネクタが分解された状態の斜視図である。ただし、枠内は、リテーナの拡大斜視図を示す。
【図２】同コネクタのハウジングに同リテーナが取り付けられる前の状態の斜視図である。ただし、同ハウジングの一部は、切断面で示される。
【図３】同コネクタの断面図である。
【図４】同コネクタの斜視図である。
【図５】リテーナの第２実施例の斜視図である。
【図６】第１の従来技術の半嵌合防止コネクタの嵌合前の状態の斜視図である。
【符号の説明】
【００３６】
１  ハウジング
１ａ  保持孔
１ｂ  挿入孔
１ｃ  凹所
１ｃ１  突起（第１被係止部）
１ｄ  凹所
１ｅ  突出部（第２被係止部）
１ｆ  弾性ロック部材
１ｆ１  ロック突起
１ｆ２  操作部
１ｇ  ハウジングランス（１次係止部材）
２  コンタクト
３  ターミナルシール
４  ケーブル
５  リテーナ（係止部材）
５ａ  コンタクト押圧部
５ｂ  第１係止部
５ｂ１  溝
５ｃ  保護部
５ｄ，５ｄ´  第２係止部
５ｅ  中間部
５ｆ  連結部
【図１】
2008147074.tif 000003
【図２】
2008147074.tif 000004
【図３】
2008147074.tif 000005
【図４】
2008147074.tif 000006
【図５】
2008147074.tif 000007
【図６】
2008147074.tif 000008